(57)【要約】【課題】使い勝手が良好で、しかもノックピン穴に埋没してしまった場合でもノックピンを簡単に引き抜くことができるノックピン引抜装置の提供。【解決手段】円筒状のノックピン４０に挿入された後に開作動することでノックピン４０の引抜方向後側の端面４０ａに当接可能となる係止部２３と、係止部２３に対しスライド可能なスライダ１３とを有し、スライダ１３のスライドに連動して係止部２３を開作動させる。【選択図】　　　　図２
2004058251.tif 000002
【特許請求の範囲】
【請求項１】
円筒状のノックピンに挿入された後に開作動することで該ノックピンの引抜方向後側の端面に当接可能となる係止部と、該係止部に対しスライド可能なスライダとを有し、該スライダのスライドに連動して前記係止部を開作動させることを特徴とするノックピン引抜装置。
【請求項２】
前記係止部および前記スライダの少なくともいずれか一方には、前記スライダのスライド方向に対し傾斜することにより前記スライダのスライドで前記係止部を開作動させる傾斜面が形成されていることを特徴とする請求項１記載のノックピン引抜装置。
【請求項３】
前記スライダを前記係止部が開作動する方向に付勢する付勢部材が設けられていることを特徴とする請求項１または２記載のノックピン引抜装置。
【発明の詳細な説明】
【０００１】
【発明の属する技術分野】
本発明は、ノックピンをノックピン穴から容易に引き抜くことが可能なノックピン引抜装置に関する。
【０００２】
【従来の技術】
例えば、ワークを支持する支持台車には、盤面に多数整列状態でノックピン穴が形成され、これらノックピン穴のうちの適宜のものにノックピンを打ち込んで、このノックピンを介してワークを支持する支持治具を位置決めするものがある。このような支持台車において、支持するワークの種類を変更する場合には、変更前のワーク用の支持治具に換えて変更後のワーク用の支持治具を取り付けることになるが、その際にノックピンの位置変更が必要になってくる場合がある。
【０００３】
【発明が解決しようとする課題】
このようなノックピンの着脱を行う場合、ノックピン穴に対し打ち込むことは比較的容易であるのに対し引き抜くことは容易でない。特にノックピンがノックピン穴に埋没してしまった場合でもその引き抜きを可能とするためには、ノックピンの内側に予めネジを形成しておき、このネジに引き抜き治具を螺合させて引き抜く必要があり、使い勝手が悪く非常に手間がかかる上、ネジ形成のためコストが高いという問題があった。
【０００４】
また、ノックピンのノックピン穴からの引き抜きを行う装置に関する技術として例えば特開平１１−３３９２９号公報に開示されたものがある。この装置は、押しボルトを回すことで下部の把持部材でノックピンを外径側から把持させるとともに、この状態でおもりを上方に移動させて上部の円板に衝突させ、その時の衝撃で把持部材を上方に移動させてノックピンを引き抜くものである。この装置においては、ノックピンを外径側から把持部材に把持させるため、ノックピンがノックピン穴に埋没してしまった場合にはこれを引き抜くことができない。
【０００５】
したがって、本発明は、使い勝手が良好で、しかもノックピン穴に埋没してしまった場合でもノックピンを簡単に引き抜くことができるノックピン引抜装置の提供を目的とする。
【０００６】
【課題を解決するための手段】
上記目的を達成するために、本発明の請求項１記載のノックピン引抜装置は、円筒状のノックピン（例えば実施の形態におけるノックピン４０）に挿入された後に開作動することで該ノックピンの引抜方向後側の端面（例えば実施の形態における端面４０ａ）に当接可能となる係止部（例えば実施の形態における係止爪２３）と、該係止部に対しスライド可能なスライダ（例えば実施の形態におけるスライダ１３）とを有し、該スライダのスライドに連動して前記係止部を開作動させることを特徴としている。
【０００７】
これにより、ノックピンに係止部を挿入させた後に、スライダをスライドさせると、係止部が開作動してノックピンの引抜方向後側の端面に当接可能となる。この状態で係止部およびスライダをノックピンの引き抜き方向に移動させることでノックピンが後端側の端面を係止部で押されることによりノックピン穴から引き抜かれる。このような簡単な作業でノックピンを引き抜くことができる。しかも、ノックピン穴に埋没してしまった場合でもノックピンを簡単に引き抜くことができる。
【０００８】
本発明の請求項２記載のノックピン引抜装置は、請求項１記載のものに関して、前記係止部および前記スライダの少なくともいずれか一方には、前記スライダのスライド方向に対し傾斜することにより前記スライダのスライドで前記係止部を開作動させる傾斜面（例えば実施の形態におけるテーパ面３５）が形成されていることを特徴としている。
【０００９】
このように、傾斜面を利用してスライダのスライドで係止部を開作動させるため、簡素な構成でスライダのスライド作動を係止部の開作動に変換することができる。
【００１０】
本発明の請求項３記載のノックピン引抜装置は、請求項１または２記載のものに関して、前記スライダを前記係止部が開作動する方向に付勢する付勢部材（例えば実施の形態におけるコイルスプリング１４）が設けられていることを特徴としている。
【００１１】
これにより、付勢部材の付勢力に抗してスライダをスライドさせた状態でノックピンに係止部を挿入させた後に、スライダへの入力をやめるとスライダが付勢部材の付勢力で係止部を開作動させてノックピンの引抜方向後側の端面に当接可能とする。このように、ノックピンを引き抜く際には付勢部材の付勢力で係止部の開作動状態が維持されているため、さらに簡単な作業でノックピンを引き抜くことができる。
【００１２】
【発明の実施の形態】
本発明の一実施形態のノックピン引抜装置を図面を参照して以下に説明する。本実施形態のノックピン引抜装置１１は、図１および図２に示すように、本体部１２と、本体部１２にスライド可能に支持されたスライダ１３と、スライダ１３を付勢するコイルスプリング（付勢部材）１４とを有している。
【００１３】
本体部１２は、段付き円筒状の係止部材１６と有底円筒状のケース部材１７とを有している。
【００１４】
係止部材１６は、その軸線方向における一端の外径側にオネジ部１９が形成されており、他端側は細長い薄肉円筒状の円筒部２０とされている。この円筒部２０の先端部の外径側に、外径方向に突出する当接部２１が形成されている。また、この円筒部２０の先端側には、係止部材１６の軸線方向に平行で端部に抜ける形状のスリット２２が円周方向に等間隔で複数具体的には四カ所形成されており、その結果、円筒部２０の先端側はスリット２２で複数具体的には四つの係止爪（係止部）２３となっている。
【００１５】
ケース部材１７は、開口側の内径部にメネジ部２５が形成されており、底部２６の中央に軸線方向沿う貫通穴２７が形成されている。このケース部材１７は、そのメネジ部２５を係止部材１６のオネジ部１９に螺合させることで係止部材１６と一体化されて本体部１２を構成する。
【００１６】
スライダ１３は、円柱棒状のスライダ本体３０と操作部３１と二つのナット３２とを有している。
【００１７】
スライダ本体３０は、軸線方向における一端側の外径部にオネジ部３４が形成されており、他端側の外径部に、端部ほど径が大きくなるテーパ面（傾斜面）３５を外径側に有するテーパ部３６が形成されている。このスライダ本体３０は、テーパ部３６を除く部分が係止部材１６の内側に挿通可能とされており、オネジ部３４側を先頭にして円筒部２０側からケース部材１７を取り付ける前の係止部材１６に挿入される。
【００１８】
ここで、このように係止部材１６に一部挿入された状態のスライダ本体３０は、テーパ部３６を係止部材１６の方向に移動させるように軸線方向にスライドすることでテーパ部３６のテーパ面３５に係止部材１６の係止爪２３を載り上げさせ、その結果、係止爪２３を半径方向外方に押圧する。このようにして、係止爪２３は外径が大きくなるように開作動することになる。スライダ本体３０は、この状態から逆に、テーパ部３６を係止部材１６から離間する方向に移動させるようにスライドすることでテーパ部３６のテーパ面３５への係止爪２３の載り上げを解除し、その結果、係止爪２３の半径方向外方への押圧を解除する。すると、係止爪２３は自らの復元力で外径が小さくなるように閉作動することになる。
【００１９】
二つのナット３２は、上記のように係止部材１６に挿入された後に突出するスライダ本体３０のオネジ部３４に螺合されるもので、スライダ本体３０を内側に挿通させるようにしてコイルスプリング１４を配設した後に、オネジ部３４に螺合されることで係止部材１６との間でコイルスプリング１４を保持する。これらナット３２はスライダ本体３０への螺合後に本体部１２のケース部材１７で覆われることになり、ケース部材１７の貫通穴２７よりも大きな幅を有している。
【００２０】
そして、上記のようにコイルスプリング１４をナット３２と係止部材１６とにより保持した状態で、ナット３２から突出するスライダ本体３０のオネジ部３４を貫通穴２７に挿通させるようにしてケース部材１７をナット３２およびコイルスプリング１４に被せ、このケース部材１７のメネジ部２５を係止部材１６のオネジ部１９に螺合させる。ここで、ナット３２の位置は、コイルスプリング１４の付勢力でケース部材１７に当接するときに、スライダ本体３０のテーパ面３５で係止爪２３を開作動させる位置に設定されている。
【００２１】
操作部３１は、略有底円筒状をなすとともに底側に半径方向外方に突出するフランジ部３８が形成された形状をなしており、フランジ部３８に対し反対側の内径側に形成されたメネジ部３９を、ケース部材１７から突出するスライダ本体３０のオネジ部３４に螺合させる。
【００２２】
ここで、係止爪２３の当接部２１は、上記のように開作動したときに円筒状のノックピン４０の内径よりも大径となり、閉作動したときには円筒状のノックピン４０の内径よりも小径となるように設定されている。
【００２３】
以上により、係止爪２３は、円筒状のノックピン４０に挿入された後に開作動することでその当接部２１においてノックピン４０の引抜方向後側の端面４０ａに当接可能となり、しかも、係止部２３に対し非回転でスライド可能なスライダ１３のスライドに連動して開作動および閉作動することになる。加えて、スライダ１３にはそのスライド方向に対し傾斜することによりそのスライドで係止爪２３を開作動させるテーパ面３５が形成されている。さらに、コイルスプリング１４は、スライダ１３を係止爪２３が開作動する方向に付勢する。なお、係止爪２３に対するスライダ１３の非回転でのスライドに連動して係止爪２３を開閉させることができれば、テーパ面３５は、スライダ１３および係止爪２３のいずれか一方に設けても両方に設けても良い。また円錐状のテーパ面でなく傾斜平面であっても良い。
【００２４】
以上のような構成のノックピン引抜装置１１の作動を、支持台車等の平面状の盤面４１に貫通形成されたノックピン穴４２に打ち込まれた円筒状のノックピン４０を引き抜く場合を例にとり説明する。
【００２５】
作業者は、片手の親指を除く４本の指でノックピン引抜装置１１の本体部１２を握りながら、同じ手の親指でスライダ１３の操作部３１を本体部１２の方向に押圧する。すると、スライダ１３がスプリング１４の付勢力に抗して軸線方向一側に非回転でスライドして、テーパ部３６のテーパ面３５への係止爪２３の載り上げを解除し、その結果、係止爪２３の半径方向外方への押圧を解除する。すると、係止爪２３は自らの復元力で外径が縮径するように閉作動することになる。
【００２６】
この状態で、作業者は、図３に示すように、ノックピン引抜装置１１のテーパ部３６側をノックピン４０の内径側に挿通させ、当接部２１がノックピン４０から完全に突出する位置で止める。
【００２７】
次に、作業者は親指による操作部３１への押圧を解除する。すると、コイルスプリング１４の付勢力で、スライダ１３が軸線方向逆側にスライドして、図４に示すように、テーパ部３６のテーパ面３５に係止部材１６の係止爪２３を載り上げさせ、その結果、係止爪２３を半径方向外方に押圧する。このようにして、係止爪２３は外径が拡径するように開作動しその当接部２１の外径をノックピン４０の内径よりも大きくする。
【００２８】
この状態で、作業者が本体部１２を握ったまま操作部３１の方向すなわちノックピン４０の引抜方向に引くことで、係止爪２３の当接部２１がノックピン４０の引抜方向後側の端面４０ａに当接し、これを引抜方向に移動させてノックピン穴４２から引き抜く。
【００２９】
そして、作業者は、再び親指でスライダ１３の操作部３１を本体部１２の方向に押圧することで、係止爪２３を閉作動させて、ノックピン４０を係止爪２３から取り外す。
【００３０】
以上に述べたように、本実施形態のノックピン引抜装置１１によれば、ノックピン４０に係止爪２３を挿入させた後に、スライダ１３をスライドさせると、係止爪２３が開作動してノックピン４０の引抜方向後側の端面４０ａに当接可能となる。この状態で係止爪２３を含む本体部１２をスライダ１３とともにノックピン４０の引き抜き方向に移動させることでノックピン４０が後端側の端面４０ａを係止爪２３で押されることによりノックピン穴４２から引き抜かれる。このような簡単な作業でノックピン４０を引き抜くことができる。したがって、ネジの螺合等の面倒な作業が不要で使い勝手が良好となる。しかも、ノックピン穴４２に埋没してしまった場合でもノックピン４０を簡単に引き抜くことができ、そのためにノックピン４０の内径側にネジを形成しておく必要もないため、ノックピン４２の製造コストを低減することができる。
【００３１】
また、テーパ面３５を利用してスライダ１３のスライドで係止爪２３を開作動させるため、簡素な構成でスライダ１３のスライド作動を係止爪２３の開作動に変換することができる。したがって、製造コストを低減することができる。
【００３２】
さらに、コイルスプリング１４の付勢力に抗してスライダ１３をスライドさせた状態でノックピン４０に係止爪２３を挿入させた後に、スライダ１３への入力をやめるとスライダ１３がコイルスプリング１４の付勢力で、係止爪２３を開作動させてノックピン４０の引抜方向後側の端面４０ａに当接可能とする。このように、ノックピン４０を引き抜く際にはコイルスプリング１４の付勢力で係止爪２３の開作動状態が維持されているため、さらに簡単な作業でノックピンを引き抜くことができる。したがって、さらに使い勝手が良好となる。
【００３３】
【発明の効果】
以上詳述したように、本発明の請求項１記載のノックピン引抜装置によれば、ノックピンに係止部を挿入させた後に、スライダをスライドさせると、係止部が開作動してノックピンの引抜方向後側の端面に当接可能となる。この状態で係止部およびスライダをノックピンの引き抜き方向に移動させることでノックピンが後端側の端面を係止部で押されることによりノックピン穴から引き抜かれる。このような簡単な作業でノックピンを引き抜くことができる。したがって、ネジの螺合等の面倒な作業が不要で使い勝手が良好となる。しかも、ノックピン穴に埋没してしまった場合でもノックピンを簡単に引き抜くことができ、そのためにノックピンの内径側にネジを形成しておく必要もないため、ノックピンの製造コストを低減することができる。
【００３４】
本発明の請求項２記載のノックピン引抜装置によれば、傾斜面を利用してスライダのスライドで係止部を開作動させるため、簡素な構成でスライダのスライド作動を係止部の開作動に変換することができる。したがって、製造コストを低減することができる。
【００３５】
本発明の請求項３記載のノックピン引抜装置によれば、付勢部材の付勢力に抗してスライダをスライドさせた状態でノックピンに係止部を挿入させた後に、スライダへの入力をやめるとスライダが付勢部材の付勢力で、係止部を開作動させてノックピンの引抜方向後側の端面に当接可能とする。このように、ノックピンを引き抜く際には付勢部材の付勢力で係止部の開作動状態が維持されているため、さらに簡単な作業でノックピンを引き抜くことができる。したがって、さらに使い勝手が良好となる。
【図面の簡単な説明】
【図１】本発明の一実施形態のノックピン引抜装置を示す一部を断面とした斜視図である。
【図２】本発明の一実施形態のノックピン引抜装置を示す側断面図である。
【図３】本発明の一実施形態のノックピン引抜装置を示す閉作動時の係止爪等を示す側断面図である。
【図４】本発明の一実施形態のノックピン引抜装置を示す開作動時の係止爪等を示す側断面図である。
【符号の説明】
１１　ノックピン引抜装置
１３　スライダ
１４　コイルスプリング（付勢部材）
２３　係止爪（係止部）
３５　テーパ面（傾斜面）
４０　ノックピン
４０ａ　端面
【図１】
2004058251.tif 000003
【図２】
2004058251.tif 000004
【図３】
2004058251.tif 000005
【図４】
2004058251.tif 000006